(57)【要約】【課題】洗浄液保持部を局部洗浄装置本体から取り外したときに洗浄液接続部に残った洗浄液が床に垂れて床を汚してしまうおそれがない局部洗浄装置を提供する。【解決手段】局部洗浄装置本体１と、局部洗浄装置本体１に着脱自在に固定され、洗剤等の洗浄液を保存するための洗浄液保持部５と、局部洗浄装置本体１における給水口から局部を洗浄する洗浄ノズル３へ至る給水経路１３の途中に設けられ、前記洗浄液保持部５から洗浄液を注入するための洗浄液注入口４１と、洗浄液保持部５と洗浄液注入口４１とを接続し、洗浄液注入口４１とは、洗浄液接続部１６を介して着脱自在に接続されている洗浄液供給経路４２とで構成された局部洗浄装置である。これにおいて、洗浄液供給経路４２が洗浄液接続部１６から外された際に洗浄液接続部１６の開口を閉塞する閉塞機構８７を設ける。【選択図】        図１
2005351049.tif 000002
【特許請求の範囲】
【請求項１】
便器に搭載される局部洗浄装置本体と、局部洗浄装置本体に着脱自在に固定され、洗剤等の洗浄液を保存するための洗浄液保持部と、局部洗浄装置本体における給水口から局部を洗浄する洗浄ノズルへ至る給水経路の途中に設けられ、前記洗浄液保持部から洗浄液を注入するための洗浄液注入口と、洗浄液保持部と洗浄液注入口とを接続し、洗浄液注入口とは、洗浄液接続部を介して着脱自在に接続されている洗浄液供給経路とで構成された局部洗浄装置において、洗浄液供給経路が洗浄液接続部から外された際に洗浄液接続部の開口を閉塞する閉塞機構を設けたことを特徴とする局部洗浄装置。  
【請求項２】
便器に搭載される局部洗浄装置本体と、局部洗浄装置本体に着脱自在に固定され、洗剤等の洗浄液を保存するための洗浄液保持部と、局部洗浄装置本体における給水口から局部を洗浄する洗浄ノズルへ至る給水経路の途中に設けられ、前記洗浄液保持部から洗浄液を注入するための洗浄液注入口と、洗浄液保持部と洗浄液注入口とを接続し、洗浄液注入口とは、洗浄液接続部を介して着脱自在に接続されている洗浄液供給経路と、洗浄液供給経路中に配置されて洗浄液を搬送するための洗浄液供給手段とで構成された局部洗浄装置において、洗浄液供給経路が洗浄液接続部から外されたことを電気的に検知する検知手段を設け、洗浄液供給経路が洗浄液接続部から外されたことを検知した際には洗浄液供給手段を一定時間駆動する制御をするようにしたことを特徴とする局部洗浄装置。
【発明の詳細な説明】
【技術分野】
【０００１】
本発明は、人体局部を洗浄するための局部洗浄装置に関するものである。
【背景技術】
【０００２】
従来の局部洗浄装置は、人体局部の洗浄を行う機構を有する局部洗浄装置本体と、使用者が洗浄方法等を選択操作するための操作部と、操作部からの信号に応じて便座温度、洗浄温度及び洗浄流量等を制御するための主制御部（図示せず）と、使用者が座るための便座とで構成されている（例えば特許文献１参照）。
【０００３】
この特許文献１に示す従来の局部洗浄装置本体は、水源からの水を給水弁を介して貯え、内蔵ヒーターにより加熱し温水にする温水タンクと、局部を洗浄するための水を噴出する洗浄ノズルと、温水タンクと洗浄ノズルを結ぶ給水経路と、給水経路中に配置され温水タンク内の水を洗浄ノズルに搬送するための水ポンプと、上記給水経路に洗浄液を供給するための洗浄液供給部とで構成されている。
【０００４】
洗浄液供給部は、洗浄液を保存するための洗浄液保持部と、給水経路中に洗浄液を混合するための洗浄液注入口と、洗浄液保持部と洗浄液注入口とを接続する洗浄液供給経路と、洗浄液供給経路中に配置され洗浄液を搬送するための洗浄液供給ポンプとで構成されている。さらに、洗浄液供給経路中には水が洗浄液保持部に入ることを防ぐための逆流防止弁を備えている。
【０００５】
また洗浄液保持部は、局部洗浄装置本体に着脱自在に固定されている。また洗浄液供給経路は、洗浄液注入口と洗浄液接続部を介して着脱自在に接続されている。
【０００６】
そして使用者が操作部にて洗浄方式を選定し、温水洗浄を選択した場合には、洗浄液供給ポンプは作動しないので、温水タンクに貯えられた温水がそのまま人体局部に噴出され、一方、洗浄液洗浄を選択した場合には、洗浄液供給ポンプが作動して、洗浄液が給水経路に供給され、温水との混合液が洗浄ノズルを介して人体局部に噴出されるようになっている。
【特許文献１】特開２００３−３４２９９３号公報
【発明の開示】
【発明が解決しようとする課題】
【０００７】
ところで、洗浄液保持部へ洗浄液を補充するには、洗浄液保持部を局部洗浄装置本体から取り外す必要がある。このとき、洗浄液接続部に残った洗浄液が床に垂れ、汚してしまうという問題がある。
【０００８】
本発明は上記の従来の問題点に鑑みて発明したものであって、洗浄液保持部を局部洗浄装置本体から取り外したときに洗浄液接続部に残った洗浄液が床に垂れて床を汚してしまうおそれがない局部洗浄装置を提供することを課題とするものである。
【課題を解決するための手段】
【０００９】
上記課題を解決するために本発明の請求項１の局部洗浄装置は、便器に搭載される局部洗浄装置本体と、局部洗浄装置本体に着脱自在に固定され、洗剤等の洗浄液を保存するための洗浄液保持部と、局部洗浄装置本体における給水口から局部を洗浄する洗浄ノズルへ至る給水経路の途中に設けられ、前記洗浄液保持部から洗浄液を注入するための洗浄液注入口と、洗浄液保持部と洗浄液注入口とを接続し、洗浄液注入口とは、洗浄液接続部を介して着脱自在に接続されている洗浄液供給経路とで構成された局部洗浄装置において、洗浄液供給経路が洗浄液接続部から外された際に洗浄液接続部の開口を閉塞する閉塞機構を設けたことを特徴とする。このように構成することで洗浄液保持部を取り外したとき洗浄液接続部が閉塞機構で閉塞されて洗浄液が垂れるのを防止でき、床が汚れるのを防止できる。
【００１０】
また本発明の請求項２の局部洗浄装置は、便器に搭載される局部洗浄装置本体と、局部洗浄装置本体に着脱自在に固定され、洗剤等の洗浄液を保存するための洗浄液保持部と、局部洗浄装置本体における給水口から局部を洗浄する洗浄ノズルへ至る給水経路の途中に設けられ、前記洗浄液保持部から洗浄液を注入するための洗浄液注入口と、洗浄液保持部と洗浄液注入口とを接続し、洗浄液注入口とは、洗浄液接続部を介して着脱自在に接続されている洗浄液供給経路と、洗浄液供給経路中に配置されて洗浄液を搬送するための洗浄液供給手段とで構成された局部洗浄装置において、洗浄液供給経路が洗浄液接続部から外されたことを電気的に検知する検知手段を設け、洗浄液供給経路が洗浄液接続部から外されたことを検知した際には洗浄液供給手段を一定時間駆動する制御をするようにしたことを特徴とする。このように構成することで洗浄液保持部を取り外したときにそれが検知され、洗浄液供給手段が一定時間駆動されて洗浄液接続部の洗浄液が送られ、洗浄液接続部から洗浄液が垂れるのを防止でき、床が汚れるのを防止できる。
【発明の効果】
【００１１】
本発明の請求項１の発明は、洗浄液供給経路が洗浄液接続部から外された際に洗浄液接続部の開口を閉塞する閉塞機構を設けたので、洗浄液保持部を取り外したとき洗浄液接続部が閉塞機構で閉塞されて洗浄液が垂れるのを防止でき、床が汚れるのを防止できるという効果がある。
【００１２】
また本発明の請求項２の発明は、洗浄液供給経路が洗浄液接続部から外されたことを電気的に検知する検知手段を設け、洗浄液供給経路が洗浄液接続部から外されたことを検知した際には洗浄液供給手段を一定時間駆動する制御をするようにしたので、洗浄液保持部を取り外したときにそれが検知され、洗浄液供給手段が一定時間駆動されて洗浄液接続部の洗浄液が送られ、洗浄液接続部から洗浄液が垂れるのを防止でき、床が汚れるのを防止できるという効果がある。
【発明を実施するための最良の形態】
【００１３】
以下、本発明を添付図面に示す実施形態に基いて説明する。
【００１４】
局部洗浄装置は、図１に示すように、人体局部の洗浄を行う機構を有する局部洗浄装置本体１と、使用者が洗浄方法等を選択操作するための操作部２と、操作部２からの信号に応じて便座温度、洗浄温度及び洗浄流量等を制御するための主制御部（図示せず）と、使用者が座るための便座Ｂとで構成されている。
【００１５】
局部洗浄装置本体１は、図２に示すように、水源からの水を給水する給水口と、水源からの給水／停止を行うための給水弁１１と、水源からの水を貯え、ヒーターにより加熱し温水にする温水タンク１２と、人体局部を洗浄するための水を噴出する洗浄ノズル３と、給水弁１１と洗浄ノズル３を結ぶ給水経路１３と、給水経路１３中の温水タンク１２の下流側に配置され温水タンク１２内の水を洗浄ノズル３に搬送するための水ポンプ１４と、上記給水経路１３に洗浄液を供給するための洗浄液供給部４とで構成される。
【００１６】
洗浄液供給部４は、洗浄液を保存するための洗浄液保持部５と、給水弁１１と洗浄ノズル３を結ぶ給水経路１３中に洗浄液を混合するための洗浄液注入口４１と、洗浄液保持部５と洗浄液注入口４１とを接続する洗浄液供給経路４２と、洗浄液供給経路４２中に配置され洗浄液を搬送するための洗浄液供給手段としての洗浄液供給ポンプ４３とで構成されている。洗浄液供給ポンプ４３としては、例えば、ギアポンプやダイヤフラム式ポンプが用いられる。さらに、洗浄液供給経路４２中の洗浄液供給ポンプ４３の上流側には、水が洗浄液保持部５に入ることを防ぐための逆流防止弁４４を備えている。逆流防止弁４４としては、例えば、直動式やダイヤフラム式の電磁弁か、あるいは、ダックビルバルブ等が用いられる。
【００１７】
洗浄ノズル３は、図３に示すように、お尻洗浄ノズル３１、ビデ洗浄ノズル３２、お尻洗浄ノズル３１及びビデ洗浄ノズル３２を洗浄するためのノズル洗浄用ノズル３３、便器内面を洗浄する便器洗浄ノズル３４及びこれらのノズルヘの流路を切り替えるための流路切替機構３５とで構成されている。
【００１８】
お尻洗浄ノズル３１は、図４に示すように、内部に水路を有する筒状のシリンダー３６と、シリンダー３６の先端に配置される流体素子３７とで構成されている。このシリンダー３６は、水圧で押し出されることによって前方に移動し｛図４（ｂ）参照｝、水圧が下がるとバネ３９が縮む力により後方に移動する｛図４（ａ）参照｝ような構造になっている。
【００１９】
シリンダー３６の駆動は、洗浄水の水圧を利用するのに代えて、モータ等のアクチュエータを使用するようにしてもよい。流体素子３７は、水路を流れる混合水が水路合流地点でぶつかり合うことで混合水中に混入された空気が細かくなり、泡沫状になって噴出口から人体局部に噴出されるものである。
【００２０】
流路切替機構３５としては、例えば、ステッピングモーターで駆動するロータリー切替弁等が用いられる。流路切替機構３５で流路を切り替えることより、温水タンク１２からの温水に洗浄液を混合し、お尻洗浄ノズル３１又はビデ洗浄ノズル３２から噴出することができる。さらに、混合水を便器洗浄ノズル３４で便器内面に噴出したり、ノズル洗浄用ノズル３３から各洗浄ノズル３１〜３４に向かって噴出することができるようになっている（図５参照）。
【００２１】
図２に示す水ポンプ１４は、主制御部（図示せず）から入力した制御信号に応じて洗浄流量を変更し、一定に保つ働きをする。洗浄流量を変更する手段として、水ポンプ１４を制御する代わりにモータを用いて制御してもよい。この場合、主制御部からの信号に応じて、流路の断面積を変化させることにより、水量を変化させることができる。また電磁弁を用いた場合、同様に、流路面積を変化させることにより、水量を変化させることができる。なお、この水ポンプ１４は省略されても良い。この場合は、操作部２の洗浄操作キーの操作によって、電磁弁式の給水弁１１を開弁し、洗浄水を給水圧で直接送り込むようにしてもよい。
【００２２】
また温水タンク１２は、省略されても良い。この場合、熱交換器として、セラミック又はシーズ型のヒータ等を用い、給水を直接加熱して洗浄ノズル３に供給する。
【００２３】
次に、洗浄液保持部５について説明する。洗浄液保持部５は、図６、図７に示すように、例えば不透明のＰＰ樹脂等で形成される洗浄液保持部本体５１と洗浄液保持部蓋５２とで主体が構成されている。本実施形態では、洗浄液保持部本体５１は前後方向に長い上方に開口する略箱状をしたもので、洗浄液保持部蓋５２は前記洗浄液保持部本体５１の上方の開口の縁に取り付けられて該開口を閉塞するもので、この洗浄液保持部本体５１と洗浄液保持部蓋５２とは、例えば超音波溶着等で一体に形成される。
【００２４】
洗浄液保持部５の外殻の正面（前面）には残量確認手段が設けてある。残量確認手段は、洗浄液保持部本体５１の正面の壁部に上下に長い正面視略矩形状をした開口を形成し、この開口に例えば光透過性を有するＰＰ樹脂等で形成される残量表示窓６を超音波溶着等で溶着固定して設けてある。この洗浄液保持部５は、局部洗浄装置本体１に取り付けられた状態で洗浄液保持部本体５１の外面が露出する状態となり（図１参照）、その正面に設けた残量確認手段としての残量表示窓６を介して洗浄液保持部５内の洗浄液の液面が見えることとなり、その残量を確認することができる。
【００２５】
残量表示窓６は、洗浄液保持部５の洗浄液保持部本体５１の他の部位よりも薄肉に形成されているため、洗浄液保持部５内の洗浄液の液面は残量表示窓６を介してより見やすくなっている。
【００２６】
また、残量表示窓６の内側には、水平に数本の突起をつけてもよい。この場合、後述する照射手段９から照射された光が、突起で拡散されるため、残量表示窓６が明るくなって液面が見やすくなる。
【００２７】
また、特に図示はしないが残量表示窓６を凸レンズ状に形成してもよく、この場合も、残量表示窓６を介して洗浄液の液面が見やすくなる効果がある。
【００２８】
また、洗浄液保持部５の内面を残量表示窓６自体の色よりも濃色にしてもよい。このようにすることで、洗浄液保持部５内の空気層と洗浄液層のコントラストが強くなり、液面が見やすくなる。
【００２９】
また、図６に示すように洗浄液保持部５の外表面の残量表示窓６の周囲に、残量表示窓６の色よりも濃い色をした濃色部５１ａを形成してもよい。この場合も、洗浄液保持部５内の空気層と洗浄液層のコントラストが強くなり、液面が見やすくなる。
【００３０】
洗浄液保持部蓋５２には、図７に示すように、照明照射口７が設けられており、一方、洗浄液保持部５が取り付けられる局部洗浄装置本体１の照明照射口７に対応する部分にＬＥＤ等からなる照射手段９を配設してあり、この照射手段９が点灯した際には、この照明照射口７を介して、洗浄液保持部５内を照射するように構成されている。
【００３１】
また、洗浄液保持部５の前面に配置された残量表示窓６は、洗浄液保持部５の底面に近付くほど前方に突出するように、例えば、鉛直方向に対して１０度程傾けて形成してもよい。本実施形態では、図７等に示すように、残量表示窓６が設けられる洗浄液保持部５の前面部ごと前記のように傾斜するように形成してある。このようにすることで、入室した際に使用者が立ったままでも残量表示窓６を介して洗浄液保持部５内の液面を容易に確認することが可能となる。
【００３２】
照明照射口７には、図６、図７に示すように、光透過性を有する例えば樹脂等からなる部材で形成される照明透過窓７１が設けられる。
【００３３】
以上のように、洗浄液保持部５内を照射する照射手段９を設けるとともに、前記照射手段９から照射された光によって洗浄液保持部５に保存されている洗浄液の残量が確認可能な残量確認手段を洗浄液保持部５に設けたことで、洗浄液保持部５に保存されている洗浄液を目視してその残量が確認可能な残量確認手段としての残量表示窓６を設けたことで、使用者が洗浄液保持部５を局部洗浄装置本体１から取り外してケースを持ち上げてその重量で推定したり、あるいは、洗浄液保持部５を局部洗浄装置本体１から取り外してその洗浄液の供給口の蓋を取り外して目視によって確認したり、あるいは、洗浄後に温水に洗浄液が混合されなくなることを目視確認したりすることなく、残量の確認が可能となり、その確認作業が煩雑とならずにすむ。
【００３４】
次に、洗浄液保持部５の局部洗浄装置本体１への取り付けについて図８乃至図１２に基づいて説明する。洗浄液保持部蓋５２には、図８に示すように、洗浄液供給口５３が開口しており、この洗浄液供給口５３に洗浄液供給口蓋８が取り付けられて閉塞される。洗浄液供給口蓋８には、回転ガイド溝８１及びツマミ部８２が設けられており、回転ガイド溝８１は洗浄液保持部蓋５２に設けられた回転ガイドボス５４と摺動することで、回転装着される。
【００３５】
洗浄液保持部蓋５２には、図９、図１０に示すように固定部５５が設けられ、局部洗浄装置本体１への装着の際には、局部洗浄装置本体１の洗浄液保持部５が下側に取り付けられる本体ガイド部１５に装着固定される様に構成されている。詳述すると本実施例では、穴からなる本体ガイド部１５に下方から洗浄液保持部蓋５２の上面に突設した固定部５５を挿入し（図９参照）、洗浄液保持部５をスライドさせることにより洗浄液保持部５が局部洗浄装置本体１に着脱可能に固定される（図１０参照）。洗浄液保持部５が局部洗浄装置本体１に装着された状態では、局部洗浄装置本体１側の洗浄液供給経路４２の上流端部となる洗浄液接続部１６が洗浄液保持部５側の洗浄液供給経路４２である洗浄液供給口蓋８の洗浄液供給口管８４に接続され、洗浄液保持部５内の洗浄液が洗浄液供給口蓋８に設けた吸い上げ管８５から吸い上げられて洗浄液供給口管８４を介して洗浄液接続部１６から洗浄液供給経路４２へと流れる。
【００３６】
吸い上げ管８５は円筒状をしたもので、その下端部は円筒の長手方向に垂直な面状に形成されるとともに、その下端部を受ける受け部５７が洗浄液保持部本体５１の底面に十字状に形成してある（図７参照）。この十字状の受け部５７は、洗浄液保持部本体５１の底面上に吸い上げ管８５の径よりも細幅の十字状に突出するとともに、十字状をした受け部５７の四つの端部から上方に向けて保持部５７ａが形成してあり、吸い上げ管８４の下端部が保持部５７ａにて保持される。この十字状をした受け部５７を吸い上げ管８５に対応する底面に設けることで、長手方向に垂直な平面状に形成された下端部が底面に当接して洗浄液を吸い上げられなくなるのを防止している。
【００３７】
洗浄液保持部５と局部洗浄装置本体１との聞にはクリック構造が設けてある（図９乃至図１１参照）。クリック構造は、洗浄液保持部５を局部洗浄装置本体１に装着する際に、洗浄液接続部１６のシール性が確保される位置を感触で知らせる様に構成されるもので、洗浄液保持部蓋５２の上面に突設したクリック突起５２ｂを局部洗浄装置本体１に設けたクリック部１７の突起を乗り越える時にクリック感が発生するようにしてある。
【００３８】
なお、クリック構造の代わりに、洗浄液接続部１６のシール性が確保されたことを電気的に判定し、機能の使用を禁止すると共に表示する検出機構を用いてもよい。検出機構としては、例えば、プッシュ式のリミットスイッチや、ホール素子によるリードスイッチ等を用いる。洗浄液接続部１６の接続状態を電気的に検出する機構を用いた場合には、洗浄液保持部５の装着状態を表示するための表示部が設けられる。
【００３９】
洗浄液保持部５内の洗浄液残量が少なくなった場合、使用者は洗浄液保持部５を手前にスライドさせ（即ち図１０に示す状態から図９に示す状態にし）、局部洗浄装置本体１からを取り外した後、洗浄液供給口蓋８を回転させて取り外す。そして、洗浄液を洗浄液供給口５３から補充した後、再び洗浄液保持部５を局部洗浄装置本体１に装着する。
【００４０】
洗浄液供給口管８４は、例えば管状の樹脂、ゴムホース等で構成され、局部洗浄装置本体１に設けた洗浄液接続部１６とは着脱可能に接続される。洗浄液供給口管８４側には、例えばＯリング８６が装着され、局部洗浄装置本体１の洗浄液接続部１６に挿入されることにより、気密性を持たせることができる。
【００４１】
Ｏリング８６は、洗浄液供給口管８４側に配置されているため、局部洗浄装置本体１から取り外し可能となり、Ｏリング８６が消耗した際には容易に交換することができる。
【００４２】
また洗浄液接続部１６には、洗浄液保持部５側の洗浄液供給経路４２である洗浄液供給口蓋８の洗浄液供給口管８４が取り外された際に、洗浄液接続部１６の開口部を閉塞する閉塞機構８７を図１２に示すように設けてある。この閉塞機構８７は径方向に拡縮するシャッター部材８７ａの外周に縮小するように付勢するバネ８７ｂを設けて形成されている。そして洗浄液接続部１６に洗浄液供給口管８４が接続する前は図１２（ａ）のようにシャッター部材８７ａが縮径して開口部が閉じられており、図１２（ｂ）に示すように洗浄液接続部１６に洗浄液供給口管８４を差し込んで接続すると、シャッター部材８７ａが拡径して開口部が開放されて洗浄液接続部１６と洗浄液供給口管８４とが連通するようになっている。しかして洗浄液を補充したりするために洗浄液保持部５を取り外したとき、洗浄液接続部１６から洗浄液供給口管８４が抜けるが、閉塞機構８７としてシャッター部材８７ａにて洗浄液接続部１６の開口部が閉じられ、洗浄液接続部１６から洗浄液が垂れるのを防止でき、床が汚れるの防止できる。
【００４３】
また洗浄液接続部１６への洗浄液供給口管８４の接続を上記のように電気的に検知する構造の場合、次の構造を採用してもよい。洗浄液接続部１６から洗浄液保持部５側の洗浄液供給経路４２である洗浄液供給口蓋８の洗浄液供給口管８４が取り外されたのを検知した場合、洗浄液供給手段としての洗浄液供給ポンプ４３を一定時間駆動するように制御してもよい。このように制御すると、洗浄液保持部５を取り外したとき洗浄液接続部１６に残った洗浄液が局部洗浄装置本体１側に吸引されるため、洗浄液が垂れるのを防止でき、床が汚れるのを防止できる。
【００４４】
本実施形態では、洗浄液保持部５は、局部洗浄装置本体１の下側に装着されるように構成しているが、洗浄液を洗浄液保持部５から局部洗浄装置本体１側へと容易に流れるように局部洗浄装置本体１の上側に配置してもよい。
【００４５】
操作部２（図１参照）は、便座操作部、洗浄操作部等で構成される。便座操作部には、便座温度を変更させるための便座温度操作キーが、洗浄操作部には、洗浄モードを操作するための洗浄モード操作キーと、洗浄水の温度を変更させるための洗浄温度操作キーと、洗浄時の洗浄流量を変更させるための洗浄流量操作キーが配置される。
【００４６】
洗浄モード操作キーは、温水洗浄操作キー、洗浄液洗浄操作キー及びビデ洗浄操作キーで構成される。
【００４７】
使用者がこれらのキー操作を行うと、キー入力情報は主制御部に伝えられる。
【００４８】
局部洗浄装置本体１には、図１に示すように、使用者の着座を検知するための着座センサ１７と、人のトイレヘの入室を検知するための入室検知センサ１８（例えば赤外線センサあるいは超音波センサ）が配置される。
【００４９】
照射手段は入室検知センサー１８と連動させて制御してもよい。例えば、入室検知センサ１８が人体の入室を検知した時に照射手段を点灯し、一定時間経過後に自動的に消灯するように制御される。
【００５０】
洗浄液保持部５の底面には、光透過性を有する床面照射窓（特に図示せず）を設けてもよい。この場合、照射手段９から洗浄液保持部５内に照射された光が床面照射窓を介して床面を照らすため、夜トイレに行く時など、室内の照明器具を使用しなくてもよい。
【００５１】
洗浄モードとしては、お尻洗浄とビデ洗浄が有り、さらに、お尻洗浄には、通常の温水洗浄モードと洗浄液洗浄モードとがある。
【００５２】
各モードにおける構成部品の動作を説明する。
【００５３】
通常のお尻洗浄、ビデ洗浄、便器洗浄、ノズル洗浄の場合には、給水弁１１が開き、水ポンプ１４が駆動される。洗浄液供給手段としての洗浄液供給ポンプ４３は駆動されない。洗浄液供給経路４２には逆流防止弁４４が設けられているため、水源から流入した水は、洗浄液保持部５には流れ込まず給水経路１３のみを流れ、ロータリー切替弁等からなる流路切替機構３５で選択されたノズルより噴出される。
【００５４】
洗浄液洗浄モードが選択された際には、給水弁１１が開き、水ポンプ１４が駆動されるとともに、洗浄液供給ポンプ４３が駆動され、洗浄液保持部５から洗浄液を吸引する。吸引された洗浄液は、洗浄液供給経路４２を通過し、洗浄液注入口４１から給水経路１３を流れる温水中に注入されて混合される。洗浄液が混合された温水は、流路切替機構３５を介して、お尻洗浄ノズル３１より人体局部に噴出される。
【００５５】
給水経路１３の洗浄液注入口４１の部位は、給水経路１３の他の部位よりも断面積が大きくなるように構成されている。これにより、洗浄液は、温水と充分に撹拌混合された後、お尻洗浄ノズル３１よリ噴出される。洗浄液注入口４１の前後で給水経路１３が一直線にならないようにした場合、混合部で還流が発生するため、撹拌の効果は高くなり、濃度が均一の洗浄液が噴出される。
【００５６】
洗浄液洗浄モードでお尻を洗浄する以外にも、流路切替機構３５で便器洗浄ノズル３４あるいはノズル洗浄ノズル３３を選択して、便器洗浄ノズル３４あるいはノズル洗浄ノズル３３から洗浄液が混合された温水を噴出してもよい。この場合、通常の洗浄よりも高い洗浄力が期待できる。
【００５７】
使用者は、トイレに入室して入室検知センサ１８が入室を検知した時には照射手段９が点灯され、使用者が残量表示窓６の液面を確認する。照射手段９は、一定時間経過後に自動的に消灯される。
【００５８】
その後、使用者が着座すると、着座に連動して便器洗浄が実行される。着座後、通常のお尻洗浄モードあるいはビデ洗浄モードを選択した場合には、お尻洗浄ノズル３１あるいはビデ洗浄ノズル３２から、温水が人体局部に向かって噴出される。
【００５９】
洗浄液洗浄モードを選択した際は、洗浄液が混合された温水がお尻洗浄ノズル３１から人体局部に噴出される。使用者は、洗浄液洗浄モードを停止した後、お尻洗浄モードを選択し、人体局部周辺に残った洗浄液をすすぐ。
【００６０】
使用者が離座するのに連動させて、ノズル洗浄用ノズル３４によるノズル洗浄を数秒程度実行する。
【００６１】
洗浄液洗浄モードを選択した際の、洗浄液洗浄から温水洗浄への移行は、自動的に実施しても良い。この場合、洗浄液が混合された温水が一定時間噴出した後、自動的に温水のみの噴出に切り替わるため、人体局部周辺に残る洗浄液をすすぎ忘れることがない。
【図面の簡単な説明】
【００６２】
【図１】本発明の実施の形態の一例の全体斜視図である。
【図２】同上の局部洗浄装置本体の概略構成図である。
【図３】同上の洗浄ノズルの斜視図である。
【図４】同上のお尻洗浄ノズルの動作を説明する説明図であり、（ａ）は伸張した状態を示す図であり、（ｂ）は収縮した状態を示す図である。
【図５】同上のノズル洗浄ノズルの動作を説明する斜視図である。
【図６】同上の洗浄液保持部の全体斜視図である。
【図７】同上の洗浄液保持部を左右に二つ割りした状態の斜視図である。
【図８】洗浄液保持部への洗浄液供給口蓋の取り付けを説明する斜視図である。
【図９】洗浄液保持部の局部洗浄装置本体への取り付けを説明する図であり、洗浄液保持部の固定部を局部洗浄装置本体の本体ガイド部に挿入した状態を示す斜視図である。
【図１０】洗浄液保持部の局部洗浄装置本体への取り付けを説明する図であり、洗浄液保持部の固定部を局部洗浄装置本体の本体ガイド部に挿入した後スライドして装着した状態を示す斜視図である。
【図１１】（ａ）（ｂ）（ｃ）はクリック構造の説明図である。
【図１２】同上の洗浄液接続口の部分を示し、（ａ）は洗浄液供給口管を接続する前の一部省略断面図、（ｂ）は洗浄液供給口管を接続した後の一部省略断面図である。
【符号の説明】
【００６３】
１  局部洗浄装置本体
１３  給水経路
１６  洗浄液接続部
３  洗浄ノズル
４１  洗浄液注入口
４２  洗浄液供給経路
４３  洗浄液供給ポンプ
５  洗浄液保持部
８４  洗浄液供給口管
８７  閉塞手段  
【図１】
2005351049.tif 000003
【図２】
2005351049.tif 000004
【図３】
2005351049.tif 000005
【図４】
2005351049.tif 000006
【図５】
2005351049.tif 000007
【図６】
2005351049.tif 000008
【図７】
2005351049.tif 000009
【図８】
2005351049.tif 000010
【図９】
2005351049.tif 000011
【図１０】
2005351049.tif 000012
【図１１】
2005351049.tif 000013
【図１２】
2005351049.tif 000014